Podtech/llm-jp-corpus-v4-ja_patent huggingface dataset:
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
所定極性のトナー像を担持する像担持体と、移動可能であって、１次転写部において前記像担持体から１次転写されるトナー像を２次転写部において転写材へ２次転写するための中間転写ベルトと、前記中間転写ベルトの移動方向において前記２次転写部よりも下流側で、且つ、前記１次転写部よりも上流側に配置される帯電部材と、前記帯電部材に電圧を印加する電源と、を有し、前記電源から前記所定極性とは逆極性の電圧が印加される前記帯電部材によって前記中間転写ベルトに残留した残留トナーを帯電し前記１次転写部において前記中間転写ベルトから前記像担持体へと移動させることで前記中間転写ベルトから前記残留トナーを回収する画像形成装置において、
前記中間転写ベルトを介して前記帯電部材に対向する対向部材を有し、
前記帯電部材は、移動する前記中間転写ベルトに対して先端が接触し続ける複数の繊維を備え、移動する前記中間転写ベルトに対して固定配置され、前記対向部材に対して加圧された状態で前記複数の繊維が前記中間転写ベルトに接触するクリーニングブラシであり、前記クリーニングブラシは、前記残留トナーを前記中間転写ベルト上で散らしつつ、前記逆極性に帯電することを特徴とする画像形成装置。
【請求項２】
前記クリーニングブラシは、前記対向部材によって張架される前記中間転写ベルトの表面に対して前記複数の繊維の先端側が屈曲するように固定位置が決定されていることを特徴とする請求項１に記載の画像形成装置。
【請求項３】
前記中間転写ベルトの移動方向において前記クリーニングブラシと前記中間転写ベルトの接触領域より下流側で、且つ、前記１次転写部よりも上流側に配置され、前記クリーニングブラシによって帯電された前記残留トナーを帯電する帯電ローラを有し、前記帯電ローラは、前記中間転写ベルトを介して前記対向ローラに対向することを特徴とする請求項１又は請求項２に記載の画像形成装置。
【請求項４】
前記対向部材は、前記中間転写ベルトを駆動する駆動ローラであることを特徴とする請求項１から請求項３のいずれか一項に記載の画像形成装置。
【請求項５】
前記電源は、前記クリーニングブラシに直流電圧のみを印加することを特徴とする請求項１から請求項４のいずれか一項に記載の画像形成装置。
【請求項６】
前記電源は、前記クリーニングブラシに定電流制御された電圧を印加することを特徴とする請求項５に記載の画像形成装置。
【請求項７】
前記クリーニングブラシは、前記中間転写ベルトの移動に伴い、前記移動方向と交差する方向に移動することを特徴とする請求項１から請求項６のいずれか一項に記載の画像形成装置。
【請求項８】
前記像担持体は、それぞれが異なる色のトナー像を担持する複数の像担持体であることを特徴とする請求項１から請求項７のいずれか一項に記載の画像形成装置。
【請求項９】
前記クリーニングブラシによって帯電された前記残留トナーを、前記１次転写部において前記像担持体から前記中間転写ベルトにトナー像を１次転写するのと同時に、前記中間転写ベルトから前記像担持体へ移動させることを特徴とする請求項１から請求項８のいずれか一項に記載の画像形成装置。
【手続補正２】
【補正対象書類名】明細書
【補正対象項目名】０００６
【補正方法】変更
【補正の内容】
【０００６】
より具体的には、特許文献１に記載の画像形成装置では、本願の図４に示すように、像担持体としての感光体２０１上に現像装置を用いて形成されたトナー像は、１次転写部Ｎ１において中間転写体２０６上に転写（１次転写工程）される。中間転写体２０６上に転写されたトナー像は、２次転写部Ｎ２において転写材Ｐに転写（２次転写）される。この２次転写工程後に中間転写体２０６上に残留した転写残トナーは、帯電手段２１２にトナーの正規の帯電極性とは逆極性（図示の例では正極性）のバイアスを印加することにより、正極性に帯電させられる。その後、中間転写体２０６の移動に伴って１次転写部Ｎ１に送られた転写残トナーは、１次転写工程時にトナーの正規の帯電極性とは逆極性（図示の例では正極性）のバイアスが印加されることで、感光体２０１上に逆転写される。この感光体２０１上に逆転写された転写残トナーは、感光体２０１の表面をクリーニングする感光体クリーニング手段としてのクリーナ２０７により回収される。クリーナ２０７は、感光体２０１の周面に当接して転写残トナーを掻き取るクリーニング部材としてのクリーニングブレードなどを有する。斯かる構成により、次ページのトナー像の１次転写と同時に、中間転写体上の前ページのトナー像の転写残トナーのクリーニングが可能となり、プリントスピードを遅くすることなく、連続した画像形成が可能となる。
【手続補正３】
【補正対象書類名】明細書
【補正対象項目名】００１４
【補正方法】変更
【補正の内容】
【００１４】
上記目的は本発明に係る画像形成装置にて達成される。要約すれば、本発明は、所定極性のトナー像を担持する像担持体と、移動可能であって、１次転写部において前記像担持体から１次転写されるトナー像を２次転写部において転写材へ２次転写するための中間転写ベルトと、前記中間転写ベルトの移動方向において前記２次転写部よりも下流側で、且つ、前記１次転写部よりも上流側に配置される帯電部材と、前記帯電部材に電圧を印加する電源と、を有し、前記電源から前記所定極性とは逆極性の電圧が印加される前記帯電部材によって前記中間転写ベルトに残留した残留トナーを帯電し前記１次転写部において前記中間転写ベルトから前記像担持体へと移動させることで前記中間転写ベルトから前記残留トナーを回収する画像形成装置において、前記中間転写ベルトを介して前記帯電部材に対向する対向部材を有し、前記帯電部材は、移動する前記中間転写ベルトに対して先端が接触し続ける複数の繊維を備え、移動する前記中間転写ベルトに対して固定配置され、前記対向部材に対して加圧された状態で前記複数の繊維が前記中間転写ベルトに接触するクリーニングブラシであり、前記クリーニングブラシは、前記残留トナーを前記中間転写ベルト上で散らしつつ、前記逆極性に帯電することを特徴とする画像形成装置である。
【手続補正４】
【補正対象書類名】明細書
【補正対象項目名】００６２
【補正方法】変更
【補正の内容】
【００６２】
図３は、本実施例におけるクリーニングブラシ１１の近傍を模式的に拡大して示している。本実施例では、実施例１のものと同様のクリーニングブラシ１１を、更に、中間転写ベルト６の表面の移動方向と交差する（本実施例では略垂直）方向に移動可能とする。
【手続補正５】
【補正対象書類名】図面
【補正対象項目名】図２
【補正方法】変更
【補正の内容】
【図２】
2014123150.tif 000001
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
インターネットプロトコル（ＩＰ）マルチメディアサブシステム（ＩＭＳ）ネットワークノードによって実行される方法であって、前記方法は、
ＩＭＳ協調セッションのための協調セッション制御シグナリングを第１のＷＴＲＵから受信することであって、前記第１のＷＴＲＵは、前記ＩＭＳ協調セッションの制御装置である、ことと、
前記協調セッション制御シグナリングが劣化していることを検出することと、
前記協調セッション制御シグナリングが劣化しているという条件で、
協調セッション制御移転要求を第２のＷＴＲＵに送信することであって、前記協調セッション制御移転要求は、前記ＩＭＳ協調セッションの制御を受信するための、前記第２のＷＴＲＵへの要求を示す、ことと、
応答を前記第２のＷＴＲＵから受信することであって、前記応答は、前記協調セッション制御移転要求の受け入れを示す、ことと、
前記ＩＭＳ協調セッションのための協調セッション制御シグナリングを前記第２のＷＴＲＵから受信することと
を備える方法。
【請求項２】
前記第２のＷＴＲＵは、リモートパーティとのＩＭＳメディアフローを有する、請求項１の方法。
【請求項３】
前記協調セッション制御移転要求および前記応答は、セッション開始プロトコル（ＳＩＰ）メッセージである、請求項１の方法。
【請求項４】
協調セッション制御を前記第２のＷＴＲＵに移転することをさらに備える、請求項１の方法。
【請求項５】
前記協調セッション制御移転要求は、前記ＩＭＳ協調セッションの識別子、前記ＩＭＳ協調セッションのメディアフローの識別子、前記第１のＷＴＲＵの識別子、および前記第２のＷＴＲＵの識別子の１つまたは複数を含む、請求項１の方法。
【請求項６】
インターネットプロトコル（ＩＰ）マルチメディアサブシステム（ＩＭＳ）エンティティであって、
協調セッション制御移転要求をＩＭＳ対応の無線送受信ユニット（ＷＴＲＵ）に送信するように構成される送信機であって、前記協調セッション制御移転要求は、既存のＩＭＳ協調セッションの制御を受信するための、前記ＷＴＲＵに対する要求を示す、送信機と、
応答を前記ＷＴＲＵから受信するように構成される受信機であって、前記応答は、前記協調セッション制御移転要求の前記ＷＴＲＵの受け入れを示す、受信機と
を備えたＩＭＳエンティティ。
【請求項７】
前記ＩＭＳエンティティは、ＷＴＲＵからの、前記既存のＩＭＳ協調セッションの制御シグナリングの劣化または喪失に応答して、前記協調セッション制御移転要求を開始するよう動作する、請求項６のＩＭＳエンティティ。
【請求項８】
インターネットプロトコル（ＩＰ）マルチメディアサブシステム（ＩＭＳ）エンティティによって実行される方法であって、前記方法は、
協調セッション制御移転要求をＩＭＳ対応の無線送受信ユニット（ＷＴＲＵ）に送信することであって、前記協調セッション制御移転要求は、既存のＩＭＳ協調セッションの制御を受信するための、前記ＷＴＲＵに対する要求を示す、ことと、
応答を前記ＷＴＲＵから受信することであって、前記応答は、前記協調セッション制御移転要求の前記ＷＴＲＵの受け入れを示す、ことと
を備える方法。
【請求項９】
前記ＩＭＳエンティティは、ＷＴＲＵからの、前記既存のＩＭＳ協調セッションの制御シグナリングの劣化または喪失に応答して、前記協調セッション制御移転要求を開始する、請求項８の方法。
【手続補正書】
【提出日】平成26年5月26日(2014.5.26)
【手続補正１】
【補正対象書類名】特許請求の範囲
【補正対象項目名】全文
【補正方法】変更
【補正の内容】
【特許請求の範囲】
【請求項１】
撮像手段を有し、複数のアプリケーションプログラムを記憶可能であり、かつ、当該アプリケーションプログラムとして当該撮像手段による撮影を行う第１の撮影アプリケーションプログラムが記憶され、さらに、当該第１の撮影アプリケーションプログラムよりも機能が限定された第２の撮影アプリケーションプログラムが予め記憶された情報処理装置のコンピュータにおいて実行される、当該情報処理装置に予め記憶された情報処理プログラムであって、
前記複数のアプリケーションプログラムを選択的に起動する第１の起動操作を受け付ける第１の起動操作受付手段と、
前記第１の起動操作が行われた場合、前記複数のアプリケーションプログラムのうち当該第１の起動操作で選択されたアプリケーションプログラムを起動する第１の起動手段と、
前記第１の起動操作とは異なる簡易起動操作によって、前記第２の撮影アプリケーションプログラムを起動する簡易起動手段として前記コンピュータを機能させる、起動用プログラム。
【請求項２】
前記第２の撮影アプリケーションプログラムが起動後に撮影操作および保存操作がなされると、前記第２の撮影アプリケーションプログラムはユーザ操作なしに起動状態が解除される、請求項１に記載の起動用プログラム。
【請求項３】
前記複数のアプリケーションプログラムのうちいずれかのアプリケーションプログラムが起動されている状態において、前記簡易起動操作による前記第２の撮影アプリケーションプログラムの起動は不能化される、請求項１または２に記載の起動用プログラム。
【請求項４】
前記第２の撮影アプリケーションプログラムが起動されている状態において、前記複数のアプリケーションプログラムに含まれるアプリケーションプログラムの起動は不能化される、請求項１〜３のいずれか１項記載の起動用プログラム。
【請求項５】
前記第２の撮影アプリケーションプログラムが起動されている状態において、ユーザのタッチ操作に応答して、前記第２の撮影アプリケーションプログラムに代えて、前記第１の撮影アプリケーションプログラムが起動される、請求項１〜４のいずれか１項に記載の起動用プログラム。
【請求項６】
前記第１の起動操作受付手段は、タッチパネルを介して前記第１の起動操作を受け付け、
前記簡易起動操作は、前記情報処理装置に設けられたキーに対する操作である、請求項１〜５のいずれか１項に記載の起動用プログラム。
【請求項７】
前記簡易起動操作は、前記情報処理装置の側面に設けられたキーに対する操作である、請求項１〜５のいずれか１項に記載の起動用プログラム。
【請求項８】
前記簡易起動操作は、撮影操作と同じ操作である、請求項１〜５のいずれか１項に記載の起動用プログラム。
【請求項９】
撮像手段と、
複数のアプリケーションプログラムを記憶可能な記憶手段とを備え、前記記憶手段には、当該アプリケーションプログラムとして当該撮像手段による撮影を行う第１の撮影アプリケーションプログラムが記憶され、さらに、当該第１の撮影アプリケーションプログラムよりも機能が限定された第２の撮影アプリケーションプログラムが記憶されており、
前記複数のアプリケーションプログラムを選択的に起動する第１の起動操作を受け付ける第１の起動操作受付手段と、
前記第１の起動操作が行われた場合、前記複数のアプリケーションプログラムのうち当該第１の起動操作で選択されたアプリケーションプログラムを起動する第１の起動手段と、
前記第１の起動操作とは異なる簡易起動操作によって、前記第２の撮影アプリケーションプログラムを起動する簡易起動手段とを備える、情報処理装置。
【請求項１０】
情報処理システムであって、
撮像手段を含む情報処理装置と、
前記情報処理装置に装着される１つまたは複数のアプリケーションを記憶可能な記憶装置とを備え、
前記情報処理システムは、複数のアプリケーションプログラムを記憶可能であり、かつ、当該アプリケーションプログラムとして当該撮像手段による撮影を行う第１の撮影アプリケーションプログラムが記憶され、さらに、当該第１の撮影アプリケーションプログラムよりも機能が限定された第２の撮影アプリケーションプログラムが予め記憶されており、
前記情報処理装置は、
前記複数のアプリケーションプログラムを選択的に起動する第１の起動操作を受け付ける第１の起動操作受付手段と、
前記第１の起動操作が行われた場合、前記複数のアプリケーションプログラムのうち当該第１の起動操作で選択されたアプリケーションプログラムを起動する第１の起動手段と、
前記第１の起動操作とは異なる簡易起動操作によって、前記第２の撮影アプリケーションプログラムを起動する簡易起動手段とを含む、情報処理システム。
【手続補正２】
【補正対象書類名】明細書
【補正対象項目名】発明の名称
【補正方法】変更
【補正の内容】
【発明の名称】起動用プログラム、情報処理装置、および情報処理システム
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
パッケージ基板であって、
対向する第１の表面及び第２の表面を有するコア層と、
前記コア層の前記第１の表面に設けられ、第１の電気接触パッドを有する第１の回路層と、
前記コア層の前記第２の表面に設けられ、第２の電気接触パッドを有する第２の回路層と、
前記コア層に設けられ、前記第１及び第２の回路層に電気的に接続される導電ビアと、
前記コア層の前記第１の表面及び前記第１の回路層に設けられ、前記第１の電気接触パッドが露出される第１の絶縁保護層と、
前記第１の電気接触パッドの露出表面に形成される第１の表面処理層と、
前記コア層の前記第２の表面及び前記第２の回路層に設けられ、前記第２の電気接触パッドが露出される第２の絶縁保護層と、
前記第２の電気接触パッドの露出表面に形成される第２の表面処理層と、
前記第１の絶縁保護層に接着層により結合される搭載部材と、
を備え、
前記パッケージ基板の厚さから前記搭載部材の厚さを減じてなる残りの厚さは、１５０μｍよりも小さいことを特徴とするパッケージ基板。
【請求項２】
前記接着層の材質は、スーパーグルー又は離型剤であることを特徴とする請求項１に記載のパッケージ基板。
【手続補正２】
【補正対象書類名】明細書
【補正対象項目名】００１０
【補正方法】変更
【補正の内容】
【００１０】
上記の課題を解決するために、本発明は、パッケージ基板であって、対向する第１の表面及び第２の表面を有するコア層と、前記コア層の前記第１の表面に設けられ、第１の電気接触パッドを有する第１の回路層と、前記コア層の前記第２の表面に設けられ、第２の電気接触パッドを有する第２の回路層と、前記コア層に設けられ、前記第１及び第２の回路層に電気的に接続される導電ビアと、前記コア層の前記第１の表面及び前記第１の回路層に設けられ、前記第１の電気接触パッドが露出される第１の絶縁保護層と、前記第１の電気接触パッドの露出表面に形成される第１の表面処理層と、前記コア層の前記第２の表面及び前記第２の回路層に設けられ、前記第２の電気接触パッドが露出される第２の絶縁保護層と、前記第２の電気接触パッドの露出表面に形成される第２の表面処理層と、前記第１の絶縁保護層に接着層により結合される搭載部材と、を備え、前記パッケージ基板の厚さから前記搭載部材の厚さを減じてなる残りの厚さは、１５０μｍよりも小さいことを特徴とするパッケージ基板を提供する。
【手続補正書】
【提出日】平成25年11月18日(2013.11.18)
【手続補正１】
【補正対象書類名】明細書
【補正対象項目名】発明の名称
【補正方法】変更
【補正の内容】
【発明の名称】電子書籍装置、及び電子書籍プログラム
【手続補正２】
【補正対象書類名】特許請求の範囲
【補正対象項目名】全文
【補正方法】変更
【補正の内容】
【特許請求の範囲】
【請求項１】
タッチパネルを兼ねたディスプレイを備えた電子書籍装置であって、
書籍の内容をそのまま電子化した形のデータであるオリジナルコンテンツデータと、当該オリジナルコンテンツデータの特定部分の内容に関連するイベントデータとを有するコンテンツデータを記憶する記憶手段と、
前記ディスプレイの画面に前記特定部分が表示されている場合に、所定のアイコンを当該画面に表示する表示手段と、
前記所定のアイコンが選択された場合、前記イベントデータに基づいてイベントを実行する実行手段とを含む
ことを特徴とする電子書籍装置。
【請求項２】
前記イベントデータは、前記オリジナルコンテンツデータには含まれないが、当該オリジナルコンテンツデータの特定部分の内容に関連するテキストファイル及び／又はゲームデータファイルを含み、
前記実行手段は、前記所定のアイコンが選択された場合、該所定のアイコンに対応した前記テキストファイル又はゲームデータファイルに基づいた画面の提示を前記イベントとして実行する
請求項１記載の電子書籍籍装装置。
【請求項３】
前記書籍は、漫画、絵本、小説、児童書、エッセイ、及び評論のうち少なくとも１つを含む
請求項１または請求項２に記載の電子書籍措置。
【請求項４】
タッチパネルを兼ねたディスプレイを備えた電子書籍装置としてコンピュータを機能ささせるための電子書籍プログラムであって、
書籍の内容を電子化した形のデータであるオリジナルコンテンツデータと、当該オリジナルコンテンツデータの特定部分の内容に関連するイベントデータとを有するコンテンツデータを記憶する記憶手段を備えたコンピュータに、  
前記ディスプレイの画面に前記特定部分が表示されている場合に、所定のアイコンを当該画面に表示する表示機能と、
前記所定のアイコンが選択された場合、前記イベントデータに基づいてイベントを実行する実行機能とを
実現させるための電子書籍プログラム。
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
所定方向に沿ったトウを含む複数の繊維を有する前記所定方向に連続するウエブ部材を、前記所定方向と交差する交差方向に沿って切断する装置であって、
前記所定方向に沿った回転軸回りに回転しながら、前記ウエブ部材に対して前記交差方向に相対的に移動することにより、前記ウエブ部材を切断する円盤状の回転刃部材を有し、
前記回転刃部材の外周縁部の刃先には、複数の凹部が前記回転刃部材の周方向に沿って並んで形成されており、
前記複数の前記凹部の前記周方向の長さの平均値が、前記ウエブ部材に含まれる前記トウの直径の平均値よりも小さいことを特徴とするウエブ部材の切断装置。
【請求項２】
請求項１に記載のウエブ部材の切断装置であって、
前記複数の前記凹部の前記周方向の長さの平均値が、前記ウエブ部材に含まれる前記トウの直径の最小値よりも小さいことを特徴とするウエブ部材の切断装置。
【請求項３】
請求項１又は２に記載のウエブ部材の切断装置であって、
前記複数の前記凹部の深さの平均値が、前記ウエブ部材に含まれる前記トウの直径の平均値よりも小さいことを特徴とするウエブ部材の切断装置。
【請求項４】
請求項３に記載のウエブ部材の切断装置であって、
前記複数の前記凹部の深さの平均値が、前記ウエブ部材に含まれる前記トウの直径の最小値よりも小さいことを特徴とするウエブ部材の切断装置。
【請求項５】
請求項１乃至４の何れかに記載のウエブ部材の切断装置であって、
前記回転刃部材は超硬合金製であり、
前記回転刃部材の形状は、円心に前記回転軸が設定された正円形状であり、
前記回転刃部材の両方の盤面同士が前記外周縁部にてなす角度は、１５°〜２０°の任意値に設定されていることを特徴とするウエブ部材の切断装置。
【請求項６】
請求項１乃至５の何れかに記載のウエブ部材の切断装置であって、
前記所定方向を搬送方向として前記ウエブ部材を間欠搬送する間欠搬送機構と、
搬送停止中の前記ウエブ部材を前記回転刃部材が切断している間に亘って、前記搬送方向における切断対象位置よりも下流側の位置で、前記ウエブ部材を前記間欠搬送機構に押圧することにより、前記ウエブ部材の移動を規制する下流側押圧部材と、を有することを特徴とするウエブ部材の切断装置。
【請求項７】
所定方向に沿ったトウを含む複数の繊維を有する前記所定方向に連続するウエブ部材を、前記所定方向と交差する交差方向に沿って切断する方法であって、
前記所定方向に沿った回転軸回りに円盤状の回転刃部材を回転することと、
回転する前記回転刃部材を、前記ウエブ部材に対して前記所定方向と交差する交差方向に相対的に移動することにより、前記ウエブ部材を切断することと、を有し、
前記回転刃部材の外周縁部の刃先には、複数の凹部が前記回転刃部材の周方向に沿って並んで形成されており、
前記複数の前記凹部の前記周方向の長さの平均値が、前記ウエブ部材に含まれる前記トウの直径の平均値よりも小さいことを特徴とするウエブ部材の切断方法。
【手続補正書】
【提出日】平成26年10月10日(2014.10.10)
【手続補正１】
【補正対象書類名】明細書
【補正対象項目名】０００２
【補正方法】変更
【補正の内容】
【０００２】
工具を回転させながら加工する工作機械においては、加工中、切込や切削量を大きくするとびびり振動が生じて加工面が悪化する。このような加工中のびびりを抑制する加工形態として、ミーリング加工ではびびりが生じる系の固有振動数や加工中のびびり周波数から最適な回転速度を求めて加工する形態がある（例えば、特許文献１参照）。
また切削加工では、主軸モータに十分なトルクが有る場合は、ある変位量と周期にて主軸の回転速度を変動させる方法や、送り軸に加工中に超音波を発生させるユニットを取付けることで高周波の微小振動を付加させて切削力の低減を図り、びびりを抑制する方法がある（例えば、特許文献２参照）。
さらに、トロコイド軌跡加工によって刃の加工物への接触時間を減らすことでびびりの成長を抑制させるといった方法もある。
【手続補正２】
【補正対象書類名】明細書
【補正対象項目名】０００４
【補正方法】変更
【補正の内容】
【０００４】
しかしながら、上記ミーリング加工における最適な回転速度を求める方法は、びびりを検出するセンサや複雑な制御装置が必要であったし、切削加工において主軸の回転速度をある変位量と周期にて変動させる方法は、主軸モータに過大な負荷がかかるものであった。また、送り軸に高周波の微小振動を付加させる方法は、微小振動を付加させるための別ユニットが必要であり、重切削には向かないといった問題があったし、上記トロコイド軌跡加工はプログラムの変更を必要としたり、応答性が速くないために切削量を上げることができないといった問題があった。
【手続補正３】
【補正対象書類名】明細書
【補正対象項目名】００１３
【補正方法】変更
【補正の内容】
【００１３】
請求項７の発明は、請求項５に記載の発明において、工具の回転位相を取得する工具情報入力部を有し、前記振動演算手段が出力する前記強制振動を実施する送り軸制御信号は、予め設定した振幅で且つ工具の回転数に等しい振動数で振動させる信号であることを特徴とする。
この構成によれば、送り動作に対して重畳される強制振動が、工具の回転数に等しい即ち工具の振れに等しい振動数であるため、工具振れ量の影響をキャンセルするよう作用させることができ、工具チッピングを抑制できる。特に工具が複数の切れ刃を備えている場合、工具の振れに対して逆位相の振動を加えれば工具の振れをキャンセルして、各切れ刃の切削力が均等になるよう割り振ることができ、工具チッピングを確実に抑制できる。
【手続補正４】
【補正対象書類名】明細書
【補正対象項目名】００２６
【補正方法】変更
【補正の内容】
【００２６】
このような振動を送り軸（Ｘ軸の送り軸１０ａ、Ｙ軸の送り軸１０ｂ）に重畳し、工具１或いは被加工物４を強制振動させて、換言すれば被加工物４を相対振動させて加工することで、加工中の工具位置（位相）に応じた各軸方向の工具１の振れ量を送り軸側にて補正し、結果として工具１の振動をキャンセルするように工具１或いは被加工物４を工具１の回転に同調させて強制振動させることができ、工具１の振れ量の影響を抑制できる。
【手続補正書】
【提出日】平成26年6月9日(2014.6.9)
【手続補正１】
【補正対象書類名】明細書
【補正対象項目名】発明の名称
【補正方法】変更
【補正の内容】
【発明の名称】卓上型削り節機
【手続補正２】
【補正対象書類名】特許請求の範囲
【補正対象項目名】全文
【補正方法】変更
【補正の内容】
【特許請求の範囲】
【請求項１】
切削対象を切削することで削り節を製造するための回転鉋盤と、
前記回転鉋盤に対して切削対象を押し当てる押当手段と、
前記回転鉋盤を回転させるモータと、
前記モータを収容する収容部の底部と前記押当手段との間に設けられていて当該押当手段を前記回転鉋盤に向けて押し下げるバネと、
前記モータの収容部の底部に取り付けられている前記バネのテンションの調整部と、
前記回転鉋盤によって切削対象を切削する際に当該回転鉋盤に取り付けられている刃の軌跡によって規定される切削領域幅内に前記切削対象が納まる条件で形成された漏斗と、
前記回転鉋盤の下側に配置されていて前記刃によって切削された削り節を受ける削り節受け部とを備える卓上型削り節機。
【請求項２】
前記モータのモータ軸と、当該回転鉋盤に連結されている回転軸との軸芯を一致させた態様で連結させている、請求項１記載の卓上型削り節機。
【請求項３】
前記モータは、その長手方向に対して直交方向にモータ軸が延びるタイプのモータである、請求項１記載の卓上型削り節機。
【請求項４】
前記漏斗の内壁部と外壁部とは、その対向面が前記刃の両端よりも内側とされており、前記回転鉋盤の形状に対応する円弧状部分を含む、請求項１記載の卓上型削り節機。
【請求項５】
前記漏斗の内壁部と外壁部との間隔は、前記切削対象の投入口から離れるにつれて先細となる、請求項１記載の卓上型削り節機。
【請求項６】
前記押当手段は、前記切削対象を前記刃に対して所要の角度で押し当てる請求項１記載の卓上型削り節機。
【手続補正書】
【提出日】平成25年11月19日(2013.11.19)
【手続補正１】
【補正対象書類名】特許請求の範囲
【補正対象項目名】請求項３
【補正方法】変更
【補正の内容】
【請求項３】
前記移動手段は、
前記切込線形成手段、前記第１の検出手段、前記第２の検出手段及び前記第３の検出手段を一体的に支持する支持部と、
前記切込線の形成位置が前記送り方向上流側又は下流側に移動するとともに、前記切込線の方向と前記光学フィルム積層体の前記側縁部との交差角度が変化するように、前記支持部を駆動する、支持部駆動機構と、
を有することを特徴とする、請求項２に記載の切込線形成装置。
【手続補正２】
【補正対象書類名】特許請求の範囲
【補正対象項目名】請求項９
【補正方法】変更
【補正の内容】
【請求項９】
前記第２の検出工程は、前記切込線の形成位置から前記送り方向下流側に予め定められた距離だけ離れた１つ先行する切込線の一部分を検出する工程をさらに含み、
前記切込線形成手段、前記第１の検出手段及び前記第２の検出手段とともに予め定められた相対的な位置関係を維持しながら移動させられる第３の検出手段を用いて、前記１つ先行する切込線の前記一部分とは異なる他の一部分を検出する、第３の検出工程と、
前記第１の直線と、前記１つ先行する切込線の前記一部分の位置情報と前記一部分とは異なる前記他の一部分の位置情報とから求められる第２の直線とによって形成される交差角の直角からのずれ角度が、予め定められた値より大きい場合には、前記１つ先行する切込線を一方の縁部とする光学フィルムのシートを不良部位として識別する不良部位識別工程と、
をさらに含むことを特徴とする、請求項８に記載の切込線形成方法。
【手続補正３】
【補正対象書類名】特許請求の範囲
【補正対象項目名】請求項１０
【補正方法】変更
【補正の内容】
【請求項１０】
前記切込線形成工程は、前記切込線の形成位置、前記第１の検出手段の位置、前記第２の検出手段の位置及び前記第３の検出手段の位置を、
前記送り方向上流側又は下流側に移動させる工程と、
前記切込線の方向と前記光学フィルム積層体の前記側縁部との交差角度が変化するように移動させる工程と、
を含むことを特徴とする、請求項９に記載の切込線形成方法。
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
微生物細胞からポリ不飽和脂肪酸（ＰＵＦＡ）を含有する微生物油を得る方法であって、
前記微生物細胞を低温殺菌（パスチャライズ）する工程と、
微生物油を前記低温殺菌された微生物細胞から抽出又は単離する工程と
を含み、
前記低温殺菌工程は、
１）４０℃〜７０℃を含む温度で３０分以下の間、又は０．５℃／分より早い速度で前記微生物細胞が加熱される加熱段階である第一の段階、
２）前記微生物細胞が一定の温度で維持されるプラトー段階である第二の段階、及び
３）冷却段階である第三の段階、
を含むことを特徴とする方法。
【請求項２】
前記プラトー段階の温度が少なくとも７０℃である、請求項１に記載の方法。
【請求項３】
前記低温殺菌工程が、時間（分）対温度（℃）のグラフの下の領域が、１３０００℃・分以下となる、低温殺菌プロトコルを使用して前記微生物細胞を加熱する工程を含む、請求項１に記載の方法。
【請求項４】
前記低温殺菌工程は、前記プラトー段階において、高温（Ｔ，℃）で、所定の時間（ｔ，分）、前記微生物細胞を維持する工程を含み、積ｔＴが１４０〜１００８００℃・分である、請求項１〜３のいずれか１項に記載の方法。
【請求項５】
（ａ）前記プラトー段階の温度が最大温度であり、
（ｂ）時間（ｔ）対温度（Ｔ）のグラフにおける低温殺菌プロトコルの形状が、台形であり、
（ｃ）加熱及び／又は冷却が、直線であり、及び／又は
（ｄ）前記微生物細胞が、４０℃以下から始まる温度で加熱され及び／又は７０℃以上の温度に加熱される、
請求項１〜４のいずれか１項に記載の方法。
【請求項６】
前記微生物細胞が、１５分以下の間に４０℃から７０℃までに加熱され、及び／又は
前記微生物細胞が、少なくとも０．６℃／分の速度で加熱される、請求項１〜５のいずれか１項に記載の方法。
【請求項７】
前記微生物細胞が、前記低温殺菌工程の間、１００〜１８０℃の温度範囲まで加熱される、請求項１〜６のいずれか１項に記載の方法。
【請求項８】
前記プラトー段階の温度が１００〜１４０℃である、請求項１〜７のいずれか１項に記載の方法。
【請求項９】
前記プラトー段階の時間長が５秒〜９０分である、請求項１〜８のいずれか１項に記載の方法。
【請求項１０】
（ａ）前記加熱段階の加熱速度が、少なくとも２℃／分であり、
（ｂ）前記プラトー段階の温度が、７０〜１００℃であり、
（ｃ）前記冷却段階の冷却速度が、少なくとも−０．６℃／分であり、及び／又は
（ｄ）時間（分）対温度（℃）のグラフ下の領域が、１００００℃・分以下である、
請求項１〜９のいずれか１項に記載の方法。
【請求項１１】
前記微生物細胞が４０℃以下の温度から加熱される、請求項１〜１０のいずれか１項に記載の方法。
【請求項１２】
前記ＰＵＦＡが、アラキドン酸（ＡＲＡ）、エイコサペンタエン酸（ＥＰＡ）、又はドコサヘキサエン酸（ＤＨＡ）である、請求項１〜１１のいずれか１項に記載の方法。
【請求項１３】
前記ＰＵＦＡがＡＲＡである、請求項１２に記載の方法。
【請求項１４】
前記油が少なくとも３５％のＰＵＦＡを含む、請求項１〜１３のいずれか１項に記載の方法。
【請求項１５】
前記油が、低温殺菌された微生物細胞から溶媒を使用して抽出される、請求項１〜１４のいずれか１項に記載の方法。
【請求項１６】
前記油が抽出され、それによって粗ＰＵＦＡ含有油が得られ、前記粗ＰＵＦＡ含有油が１以上の精製段階に施される、請求項１５に記載の方法。
【請求項１７】
前記１以上の精製段階が、酸処理又はデガミング、アルカリ処理又は遊離脂肪酸除去、漂白又は顔料除去、濾過、ウィンテリゼーション、臭気除去及び／又はポリッシングを含む、請求項１６に記載の方法。
【請求項１８】
生じる油が、ヒト食品又は動物飼料に添加される、請求項１〜１７のいずれか１項に記載の方法。
【請求項１９】
生じる油が、特殊調製粉乳に添加される、請求項１〜１８のいずれか１項に記載の方法。
【請求項２０】
前記微生物細胞が、細菌、藻類、菌類、又は酵母である、請求項１〜１９のいずれか１項に記載の方法。
【請求項２１】
前記微生物細胞が、クサレケカビ（Ｍｏｒｔｉｅｒｅｌｌａ）属に属する、請求項２０に記載の方法。
【請求項２２】
前記微生物細胞が、モルティエーラ・アルピーナ（Ｍｏｒｔｉｅｒｅｌｌａ  ａｌｐｉｎｅ）種である、請求項２１に記載の方法。
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
熱結合シートを含む、潤滑油濾過用の濾材であって、
前記シートは、
（ａ）約５〜１５μｍの繊維径と約０．１〜１５ｃｍの繊維長とを有する約１〜４０ｗｔ％の２成分ファイバと、
（ｂ）約０．１〜５μｍの繊維径と約１０〜１０，０００のアスペクト比とを有する約６０〜９９ｗｔ％のガラスファイバと、
を備え、
前記濾材は、約０．２〜２ｍｍの厚さと、約２〜１０％のソリィディティと、約１０〜５０ｇ／ｍ２の坪量と、約０．５〜１０μｍの細孔径と、約０．０３〜９．１ｍ／分（０．１〜３０フィート／分）の透過率と、を有することを特徴とする濾材。
【請求項２】
前記濾材は、バインダ樹脂を含むことを特徴とする請求項１に記載の濾材。
【請求項３】
前記ガラスファイバは、平均繊維径が約０．１〜１μｍ、０．３〜２μｍ、０．５〜５μｍ、０．７５〜７μｍ、１〜１０μｍ、３〜３０μｍの供給源と、２種以上の前記供給源の組み合わせと、から選択された供給源から供給されることを特徴とする請求項１または２に記載の濾材。
【請求項４】
２以上の層を有することを特徴とする請求項１ないし３のいずれか１項に記載の濾材。
【請求項５】
前記濾材は、約０．０１〜１０重量％の有機フッ素剤を含むことを特徴とする請求項１ないし４のいずれか１項に記載の濾材。
【請求項６】
請求項１ないし５のいずれか１項に記載の濾材を用いて潤滑油を濾過する濾過方法。
【手続補正２】
【補正対象書類名】明細書
【補正対象項目名】発明の名称
【補正方法】変更
【補正の内容】
【発明の名称】濾材および濾過方法
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
長い本体部を有する神経組織を刺激するリードであって、
長い本体部は、その上に配設された少なくとも１つの第１の電極と、少なくとも１つの第１の電極から長手方向の距離を隔てて長手方向に配列された少なくとも１つの第２の電極とを有し、
長手方向の距離により、少なくとも１つの第１の電極が、選択的刺激を与えるために、後根神経節の上、近傍、または周囲に配置され、少なくとも１つの第２の電極が、前記後根神経節に付随する脊髄神経根の外側に配置されることを特徴とするリード。
【請求項２】
請求項１に記載のリードであって、
長手方向の距離により、少なくとも１つの第１の電極が、選択的刺激を与えるために、後根神経節の上、近傍、または周囲に配置され、少なくとも１つの第２の電極が、前記後根神経節に付随する後根および前根の合流点を超えて末梢神経に沿って配置されることを特徴とするリード。
【請求項３】
請求項１に記載のリードであって、
長手方向の距離により、少なくとも１つの第１の電極が、選択的刺激を与えるために、後根神経節の上、近傍、または周囲に配置され、少なくとも１つの第２の電極が、脊髄に沿って配置されることを特徴とするリード。
【請求項４】
請求項１〜３のいずれか１に記載のリードであって、
少なくとも１つの第１の電極は、複数の第１の電極を含み、
リードは、後根神経節に対し選択的に刺激を与えることにより、最も良好な効果が得られるように選択された複数の第１の電極に刺激エネルギを与えるように、移植可能なパルス発生器に接続可能であることを特徴とするリード。
【請求項５】
請求項１〜４のいずれか１に記載のリードであって、
長手方向の距離は、異なる電極に刺激エネルギを与えることにより調整可能であることを特徴とするリード。
【請求項６】
請求項１〜４のいずれか１に記載のリードであって、
長手方向の距離は、少なくとも幾つかの電極を互いに対して物理的に移動させることにより調整可能であることを特徴とするリード。
【請求項７】
請求項１〜６のいずれか１に記載のリードであって、
前記電極は、個別に刺激エネルギを与えることができることを特徴とするリード。
【請求項８】
請求項１〜７のいずれか１に記載のリードであって、
長い本体部は、硬膜上腔を貫通して移動できるように構成されていることを特徴とするリード。
【請求項９】
請求項１〜８のいずれか１に記載のリードであって、
長い本体部は、後根神経節に向かって水平方向に移動できるように構成されていることを特徴とするリード。
【請求項１０】
請求項１〜８のいずれか１に記載のリードであって、
長い本体部は、孔を貫通して移動できるように構成されていることを特徴とするリード。
【請求項１１】
請求項１に記載のリードであって、
長手方向の距離により、少なくとも１つの第１の電極が、選択的刺激を与えるために、後根神経節の上、近傍、または周囲に配置され、少なくとも１つの第２の電極が、別の後根神経節の上、近傍、または周囲に配置されることを特徴とするリード。
【請求項１２】
請求項１に記載のリードであって、
長い本体部は、その上に配設された少なくとも１つの第１の電極を有する長い管状本体部と、少なくとも１つの第２の電極が設けられた内側構造体とを有し、
内側構造体は、少なくとも１つの第１の電極と少なくとも１つの第２の電極の間の長手方向の距離を調整するために、長い管状本体部内を移動することができることを特徴とするリード。
【請求項１３】
請求項１に記載のリードであって、
長い本体部は、その上に配設された少なくとも１つの第２の電極を有する長い管状本体部と、少なくとも１つの第１の電極が設けられた内側構造体とを有し、
内側構造体は、少なくとも１つの第１の電極と少なくとも１つの第２の電極の間の長手方向の距離を調整するために、長い管状本体部内を移動することができることを特徴とするリード。
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
パワーインジェクタであって、
パワーヘッドであって、シリンジが該パワーヘッド上に設置され得る、パワーヘッドと、
シリンジプランジャ駆動アセンブリと、
第１のグラフィカルユーザインターフェースと、
該パワーインジェクタがヘルプモードに置かれている場合に、選択されたヘルプトピックに応答して、該第１のグラフィカルユーザインターフェース上に提示可能である第１のヘルプ出力であって、該パワーインジェクタの動作は、該パワーインジェクタが該ヘルプモードにある場合には中断される、第１のヘルプ出力と、
少なくとも１つのシステム画面であって、該少なくとも１つのシステム画面は、該パワーインジェクタが該ヘルプモードにある間に、該選択されたヘルプトピックに応答して、該第１のグラフィカルユーザインターフェース上に提示可能であり、該少なくとも１つのシステム画面は、該選択されたヘルプトピックに関連しており、該システム画面のそれぞれは、流体を送達するために該パワーインジェクタの中断されていない動作の間に、該第１のグラフィカルユーザインターフェース上にも提示される画面であり、該第１のヘルプ出力は、該パワーインジェクタが該ヘルプモードにある場合に該第１のグラフィカルユーザインターフェース上に提示される該システム画面のそれぞれから分離されている、少なくとも１つのシステム画面と
を備えている、パワーインジェクタ。
【請求項２】
前記少なくとも１つのシステム画面は、前記第１のヘルプ出力が前記第１のグラフィカルユーザインターフェース上に提示された後に、前記選択されたヘルプトピックに応答して、該第１のグラフィカルユーザインターフェース上に選択的に提示可能である、請求項１に記載のパワーインジェクタ。
【請求項３】
前記少なくとも１つのシステム画面は、前記パワーインジェクタが前記ヘルプモードにある場合に前記選択されたヘルプトピックに応答して、前記第１のグラフィカルユーザインターフェース上に前記第１のヘルプ出力とともに同時に提示可能である、請求項１に記載のパワーインジェクタ。
【請求項４】
前記選択されたヘルプトピックに関連する前記システム画面のそれぞれは、前記パワーインジェクタが前記ヘルプモードにある間に、該選択されたヘルプトピックに応答して、前記第１のグラフィカルユーザインターフェース上に順番に提示可能である、請求項１に記載のパワーインジェクタ。
【請求項５】
前記第１のヘルプトピック出力は、前記パワーインジェクタの現在の状態に基づいて、前記第１のグラフィカルユーザインターフェース上に提示可能である、請求項１〜４のいずれかに記載のパワーインジェクタ。
【請求項６】
前記現在の状態は、前記パワーインジェクタの電源がオンであり、かつシリンジが前記パワーヘッド上に設置されていない状態、少なくとも１つのシリンジが該パワーヘッド上に設置されている状態、該パワーヘッドが上方に傾斜した位置にある状態、空気パージ動作が実行されている状態、空気パージ動作が完了した状態、該パワーヘッドが下方に傾斜した位置にある状態、該パワーインジェクタが使用可能になるように準備された状態、該パワーインジェクタが使用可能である状態、開存性確認注入が実行されている状態、開存性確認が完了した状態、滴下モード注入が実行されている状態、滴下モード注入が終了した状態、タイミングボーラス注入が実行されている状態、タイミングボーラス注入が完了した状態、注入が実行されている状態、注入が中断された状態、注入が失敗した状態、注入が完了した状態、各シリンジが該パワーヘッドから取り外された状態、「各シリンジプランジャドライバを元の位置に戻す」動作が実行されている状態、および該パワーインジェクタが構成される多数のシリンジを受け入れるように該パワーインジェクタが準備された状態から成る群から選択される、請求項５に記載のパワーインジェクタ。
【請求項７】
流体送達論理およびヘルプモード論理を備えているパワーインジェクタ制御論理をさらに備え、前記パワーインジェクタは、該流体送達論理およびヘルプモード論理の各々に従って別々に動作され得、流体は、該ヘルプモード論理に従って動作する場合に、該パワーインジェクタによって送達不可能である、請求項１〜６のいずれかに記載のパワーインジェクタ。
【請求項８】
前記パワーインジェクタが前記ヘルプモード論理に従って動作する場合、該パワーインジェクタが前記流体送達論理に従って動作する場合からの前記第１のシステム画面は、前記第１のグラフィカルユーザインターフェース上に提示可能であり、該第１のグラフィカルユーザインターフェース上の該第１のシステム画面からの選択可能なオブジェクトを選択することは、該第１のグラフィカルユーザインターフェース上に関連するヘルプトピックを提示する、請求項７に記載のパワーインジェクタ。
【請求項９】
前記パワーインジェクタが前記ヘルプモード論理に従って動作する場合、該パワーインジェクタが前記流体送達論理に従って動作する場合からの前記システム画面のそれぞれは、前記第１のグラフィカルユーザインターフェース上に提示可能であり、該第１のグラフィカルユーザインターフェース上に現在提示されている該システム画面から選択可能なオブジェクトを選択することは、該第１のグラフィカルユーザインターフェース上に関連するヘルプトピックを提示する、請求項８に記載のパワーインジェクタ。
【手続補正書】
【提出日】平成26年1月22日(2014.1.22)
【手続補正１】
【補正対象書類名】特許請求の範囲
【補正対象項目名】全文
【補正方法】変更
【補正の内容】
【特許請求の範囲】
【請求項１】
遊技者にとって有利な特別遊技へ移行するか否かの抽選を行う抽選手段と、
識別情報の変動表示及び停止表示を行う表示手段と、
複数の可動体と、
前記複数の可動体をそれぞれ独立して動作させる複数の駆動手段と、
前記複数の駆動手段の制御をそれぞれ独立して制御可能な可動体制御手段と、
を備え、
前記複数の可動体は、全ての可動体により一つの構成物を形成する完成状態、及び、前記完成状態から少なくとも１つの可動体が分離した分離状態との間で変形可能に構成されることを特徴とする遊技機。
【請求項２】
遊技者による操作が可能な操作手段を備え、
前記可動体制御手段は、前記操作手段の遊技者による操作が所定のタイミングであったときに前記複数の可動体を動作させることを特徴とする請求項１記載の遊技機。
【請求項３】
前記可動体制御手段は、前記複数の可動体が前記完成状態となった後に前記複数の駆動手段を制御することにより、前記完成状態を維持しつつ前記複数の可動体の動作を変化させる完成後変化動作を実行可能とすることを特徴とする請求項１又は２に記載の遊技機。
【手続補正２】
【補正対象書類名】明細書
【補正対象項目名】００１０
【補正方法】変更
【補正の内容】
【００１０】
（１）本発明は、遊技者にとって有利な特別遊技へ移行するか否かの抽選を行う抽選手段と、識別情報の変動表示及び停止表示を行う表示手段と、複数の可動体と、前記複数の可動体をそれぞれ独立して動作させる複数の駆動手段と、前記複数の駆動手段の制御をそれぞれ独立して制御可能な可動体制御手段と、を備え、前記複数の可動体は、全ての可動体により一つの構成物を形成する完成状態、及び、前記完成状態から少なくとも１つの可動体が分離した分離状態との間で変形可能に構成されることを特徴とする遊技機とした。
【手続補正３】
【補正対象書類名】明細書
【補正対象項目名】００１２
【補正方法】変更
【補正の内容】
【００１２】
（３）本発明は、上記（１）又は（２）に記載の遊技機において、前記可動体制御手段は、前記複数の可動体が前記完成状態となった後に前記複数の駆動手段を制御することにより、前記完成状態を維持しつつ前記複数の可動体の動作を変化させる完成後変化動作を実行可能とすることを特徴とする。
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
モビリティ管理エンティティ（ＭＭＥ）において実施される方法であって、
ターゲット限定加入者グループ（ＣＳＧ）セルに関連して、無線送受信ユニット（ＷＴＲＵ）の状態を判定することと、
前記ＷＴＲＵがソース・ホームノードＢ（ＨＮＢ）から前記ターゲットＣＳＧセルに移動したかどうかを判定することと、
前記ＷＴＲＵがソースＨＮＢから前記ターゲットＣＳＧセルに移動したという条件で、前記ターゲットＣＳＧセルの現在の識別で前記ソースＨＮＢを更新することと、
を含む、方法。
【請求項２】
前記ＷＴＲＵが前記ソースＨＮＢから前記ターゲットＣＳＧセルに移動しなかったという条件で、前記ソースＨＮＢから前記ターゲットＣＳＧセルに前記ＷＴＲＵの第２の移動を開始する、請求項１に記載の方法。
【請求項３】
前記ソースＨＮＢは、前記ソースＨＮＢから前記ターゲットＣＳＧセルに前記ＷＴＲＵの失敗した第１の移動のインジケーションを受信する、請求項１に記載の方法。
【請求項４】
前記ソースＨＮＢは、前記ターゲットＣＳＧセルの前記現在の識別を受信し、前記ターゲットＣＳＧセルの前記現在の識別で前記ＷＴＲＵを更新する、請求項１に記載の方法。
【請求項５】
前記ソースＨＮＢは、前記ソースＨＮＢから前記ターゲットＣＳＧセルに前記ＷＴＲＵの第２の移動を開始する、請求項１に記載の方法。
【請求項６】
モビリティ管理エンティティ（ＭＭＥ）であって、
ターゲット限定加入者グループ（ＣＳＧ）セルに関連して、無線送受信ユニット（ＷＴＲＵ）の状態を判定し、前記ＷＴＲＵがソース・ホームノードＢ（ＨＮＢ）から前記ターゲットＣＳＧセルに移動したかどうかを判定し、前記ＷＴＲＵがソースＨＮＢから前記ターゲットＣＳＧセルに移動したという条件で、前記ターゲットＣＳＧセルの現在の識別で前記ソースＨＮＢを更新する、ように構成されたプロセッサー、
を備える、ＭＭＥ。
【請求項７】
前記ＷＴＲＵが前記ソースＨＮＢから前記ターゲットＣＳＧセルに移動しなかったという条件で、前記プロセッサーは、前記ソースＨＮＢから前記ターゲットＣＳＧセルに前記ＷＴＲＵの第２の移動を開始するようにさらに構成された、請求項６に記載のＭＭＥ。
【請求項８】
前記ソースＨＮＢは、前記ソースＨＮＢから前記ターゲットＣＳＧセルに前記ＷＴＲＵの失敗した第１の移動のインジケーションを受信するように構成され、前記ソースＨＮＢは、前記ターゲットＣＳＧセルの前記現在の識別を受信し、前記ターゲットＣＳＧセルの前記現在の識別で前記ＷＴＲＵを更新するように構成され、前記ソースＨＮＢは、前記ソースＨＮＢから前記ターゲットＣＳＧセルに前記ＷＴＲＵの第２の移動を開始するように構成された、請求項６に記載のＭＭＥ。
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
それぞれ直流電圧源を有してこの直流電圧源からの直流電力を交流電力に変換する複数の単相インバータを備え、これらの各単相インバータを順次直列に接続して上記各単相インバータによる各発生電圧の総和を出力する電力変換器と、この電力変換器の出力電圧を制御する制御装置と、を備えた電力変換装置において、
上記各単相インバータの内、最も小さい直流電圧を生じる上記直流電圧源で動作する単相インバータの交流出力側に上記電力変換器の出力電流を検出する電流検出手段を配置したことを特徴とする電力変換装置。
【請求項２】
上記複数の単相インバータの内、最も小さい直流電圧を生じる直流電圧源を有する単相インバータは、ハーフブリッジ型のものであり、このハーフブリッジ型の単相インバータを構成する２つの直流電圧源の中性点に上記電流検出手段を配置したことを特徴とする請求項１に記載の電力変換装置。
【請求項３】
上記電流検出手段は、シャント抵抗であることを特徴とする請求項１または請求項２に記載の電力変換装置。
【手続補正２】
【補正対象書類名】明細書
【補正対象項目名】０００８
【補正方法】変更
【補正の内容】
【０００８】
この発明に係る電力変換装置は、それぞれ直流電圧源を有してこの直流電圧源からの直流電力を交流電力に変換する複数の単相インバータを備え、これらの各単相インバータを順次直列に接続して上記各単相インバータによる各発生電圧の総和を出力する電力変換器と、この電力変換器の出力電圧を制御する制御装置とを備え、上記各単相インバータの内、最も小さい直流電圧を生じる上記直流電圧源で動作する単相インバータの交流出力側に上記電力変換器の出力電流を検出する電流検出手段を配置したことを特徴としている。